(57)【特許請求の範囲】
【請求項１】
原子炉内部ヘッドベント（１００）であって、
原子炉圧力容器（１２）と、
前記原子炉圧力容器（１２）の頂部端部を密閉するように構成された上部ヘッド（２９）と、
前記上部ヘッド（２９）の内面に結合されて前記内面に沿って延び、前記上部ヘッド（２９）の頂部内側に位置する開口部（１１９）と、終端部にあるファネル（１１１）とを含む上部配管（１１０）と、
前記原子炉圧力容器（１２）の内面に結合されて前記内面に沿って延び、圧縮可能ベローズ（１２１）を含む下部配管（１２０）と、
を備え、
前記上部配管（１１０）の前記ファネル（１１１）は、連結ポイント（１３０）において、前記下部配管（１２０）の終端部と取外し可能に噛合うように成形され、
前記上部配管（１１０）が取り外されるときに、前記下部配管（１２０）が、前記上部ヘッド（２９）の底部または底部より上方において終端して、前記原子炉圧力容器（１２）の上方に延び、
前記圧縮可能ベローズ（１２１）が、前記上部配管（１１０）と噛合わされるときに前記下部配管（１２０）を短縮化させて、前記連結ポイント（１３０）が前記上部ヘッド（２９）が前記原子炉圧力容器（１２）に接合されるポイントになるようにし、
前記下部配管（１２０）が、前記開口部より下方で前記原子炉圧力容器（１２）の外部に通り抜ける、
原子炉内部ヘッドベント（１００）。
【請求項２】
前記上部配管（１１０）と前記下部配管（１２０）との間の流路を密閉するために十分な圧力により、前記圧縮可能ベローズ（１２１）が前記ファネル（１１１）に対して装着される、請求項１に記載の原子炉内部ヘッドベント（１００）。
【請求項３】
前記下部配管（１２０）が、前記原子炉圧力容器（１２）の外部に通り抜ける貫通ノズル（１２５）をさらに含む、請求項１または２に記載の原子炉内部ヘッドベント（１００）。
【請求項４】
前記圧縮可能ベローズ（１２１）が、ステンレス鋼で製作され、
前記ファネル（１１１）及び前記貫通ノズル（１２５）が、Ｎｉ−Ｃｒ−Ｆｅ合金で製作され、
前記上部配管（１１０）と前記下部配管（１２０）の他の部分が、炭素鋼で製作される、
請求項１から３のいずれかに記載の原子炉内部ヘッドベント（１００）。
【請求項５】
前記上部配管（１１０）および前記下部配管（１２０）が、前記上部ヘッド（２９）の外部表面上の配管を用いずに、前記上部ヘッド（２９）に蓄積したガスを前記原子炉圧力容器（１２）の外側に排出するように構成されている、請求項１から４のいずれかに記載の原子炉内部ヘッドベント（１００）。
【請求項６】
前記上部ヘッド（２９）の下方で前記原子炉圧力容器（１２）に連結された蒸気出口（３）をさらに含み、
前記下部配管（１２０）が、前記蒸気出口（３）が前記原子炉圧力容器（１２）に連結された箇所において該原子炉圧力容器（１２）の外部に通り抜ける、
請求項１から５のいずれかに記載の原子炉内部ヘッドベント（１００）。
【請求項７】
前記上部配管（１１０）および前記下部配管（１２０）を、前記上部ヘッド（２９）及び前記原子炉圧力容器（１２）の内部表面に接合した複数のブラケット（１１５）をさらに含む、請求項１から６のいずれかに記載の原子炉内部ヘッドベント（１００）。
【請求項８】
前記上部配管（１１０）を前記上部ヘッド（２９）の内部表面に接合し且つ前記下部配管（１２０）を前記原子炉圧力容器（１２）の内部表面に接合する前記ブラケット（１１５）が、前記上部配管（１１０）および前記下部配管（１２０）と、ブラケットとの間の相対運動を防止するように、前記上部配管（１１０）および前記下部配管（１２０）に溶接される、請求項７に記載の原子炉内部ヘッドベント（１００）。
【発明の詳細な説明】
【技術分野】
【０００１】
本発明は、原子炉圧力容器ヘッドベント及びそれを使用する方法に関する。
【背景技術】
【０００２】
図１に示すように、沸騰水型原子炉（ＢＷＲ）のような従来型の原始炉は、ほぼ円筒形状を有する原子炉圧力容器（ＲＰＶ）１２を含むことができる。ＲＰＶ１２は、下方端部において底部ヘッド２８によって閉鎖しまた頂部端部において取外し可能な上部ヘッド２９によって閉鎖することができる。円筒形状コアシュラウド３４が、原子炉コア３６を囲むことができ、原子炉コア３６は、核分裂により電力を生成する（発電する）幾つかの核燃料要素を含む。シュラウド３４は、一端部においてシュラウド支持体３８によって支持することができ、また他端部において取外し可能なシュラウドヘッド３９及びセパレータチューブ組立体を含むことができる。燃料集合体は、コア３６の基部に設置したコアプレート４８によって整列させることができる。上向きにコア３６内に１つ又はそれ以上の制御ブレード２０を延ばして、コア３６の燃料要素内における核分裂連鎖反応を制御するようにすることができる。加えて、底部ヘッド２８を貫通させるなど、ＲＰＶ１２の外部から原子炉コア３６内に１つ又はそれ以上の計測チューブ５０を延ばして、中性子モニタ及び熱電対のような計測装置を外部位置からコア３６内に挿入しかつ該コア３６内に閉じ込めるのを可能にすることができる。
【０００３】
水のような流体冷却材が、コア３６及びコアプレート４８を通って上方に循環しかつ燃料要素内の核分裂により発生した熱によって少なくとも部分的に蒸気に変換される。蒸気は、セパレータチューブ組立体及び蒸気ドライヤ構造１５内で分離されかつ乾燥され、またＲＰＶ１２の頂部近くの主蒸気ノズル３を通って該ＲＰＶ１２から流出する。ＲＰＶ１２を通って循環しかつＲＰＶ１２内で沸騰した冷却材は一般的に、冷却材化学的性質を強化する幾つかの混和物を除いて純粋でありかつ脱イオン化している。運転過程の間に、コア３６内の燃料要素の損傷により、核分裂生成物が何らかの事情で冷却材内に漏洩する可能性があり、或いは放射線分解及びその他の反応により、水素が燃料要素内に生成される可能性がある。これらの及びその他の事象により、非凝縮性気体がＲＰＶ１２内の冷却材を通って上方に移動しかつ上部ヘッド２９内に集積し、上部ヘッド２９においてそれら気体がＲＰＶボリュームを減少させかつ爆発又はその他の流体機械的リスク及び問題をもたらす。
【０００４】
従来では、上部ヘッド２９内にヘッドベント８０を設けて、上部ヘッド２９内における非凝縮性気体の集積を防止しかつさらにプラントテスト及び停止においてＲＰＶ１２が充満された時における空気逸出のためのベントを形成する。ヘッドベント８０は、上部ヘッド２９を貫通した密閉可能な通路及び気体をＲＰＶ１２の外部の蒸気管路３又はサンプ領域に送る外部配管を含む。
【発明の概要】
【課題を解決するための手段】
【０００５】
例示的実施形態は、原子炉で使用する内部ヘッドベントを対象としている。本例示的実施形態は、水圧テスト又は運転時に気体が集積される可能性がある原子炉上部ヘッドの頂部内部表面に近接したベントを備えた原子炉圧力容器の内部の配管を含む。本例示的実施形態の配管は、上部ヘッドから下向きに延びかつ原子炉の外部に通り抜けて、該上部ヘッド上に外部配管がない状態で気体が原子炉の外部に逸出するか又は強制的に通気されるのを可能にする。配管は、上部ヘッドの下方における蒸気出口を含むあらゆる貫通口を通して原子炉の外部に通り抜けることができる。配管は、上部ヘッド及び／又は原子炉圧力容器の内部表面に取付けられたブラケットを含むあらゆる接合機構或いは構造によって、上部ヘッド及び／又は原子炉圧力容器に接合することができる。そのようなブラケットは、あらゆる数又はタイプのものとして、所望の位置における配管の幾らかの相対運動を可能にしかつ／或いは所望の位置において配管及び内部表面を固定取付けするようにすることができる。
【０００６】
配管は、上部ヘッドが原子炉圧力容器に接合される連結ポイントにおいて互いに取外し可能に噛合う上部及び下部セクションを含むことができる。そのような取外し可能な噛合せは、圧縮可能ベローズ及び該ベローズを備えた配管セクションを受けるファネルにより達成することができる。非接合かつ非圧縮状態では、ベローズを備えたセクションのみが、原子炉圧力容器フランジの頂部の上方に延びて、上部ヘッドから延長又は突出するのを防止することができる。本例示的実施形態は、原子炉圧力容器或いは上部及び下部ヘッド内の貫通口或いはあらゆるその他の貫通口を通して該原子炉圧力容器の外部に通り抜ける貫通ノズルを含むことができる。配管は、材料非適合性を回避する適切な組合せで選択した、炭素鋼、ステンレス鋼及び／又はＮｉ−Ｃｒ−Ｆｅ合金を含む原子炉安全材料で製作することができる。
【０００７】
例示的方法は、原子炉内に内部ヘッドベントを据付けるステップを含む。本例示的方法は、配管内のベントが該上部ヘッドの頂部内部表面に近接して配置されまた原子炉圧力容器の外部に通り抜ける端部を通って気体が流れる通路に連結されるか又は該通路を構成するように、原子炉の上部ヘッドの内部表面に対して配管を固定しかつ／又は原子炉圧力容器の内部表面に対して配管を固定するステップを含む。
【図面の簡単な説明】
【０００８】
【図１】従来型の原子炉圧力容器及びその内部構造を示す図。
【図２】例示的実施形態の内部ヘッドベントを示す図。
【図３】図２の例示的実施形態の内部ヘッドベントの概略輪郭図。
【図４】図２の例示的実施形態の内部ヘッドベント内における連結ポイントの詳細図。
【発明を実施するための形態】
【０００９】
以下において、添付の図面を参照して例示的実施形態を詳細に説明する。しかしながら、本明細書に開示した特定の構造及び機能は単に、例示的実施形態を説明するために示している。例えば、例示的実施形態は沸騰水型原子炉（ＢＷＲ）に関して説明しているが、これらの例示的実施形態は、その他のタイプの原子力プラント及びその他の技術領域で使用可能にすることができることを理解されたい。本例示的実施形態は、多くの代替形態として具現化することができまた本明細書に記載した例示的実施形態のみに限定されると解釈すべきでない。
【００１０】
本明細書では様々な要素を説明するために第１、第２などの用語を使用することができるが、これらの要素は、それらの用語に限定されるべきではないことを理解されたい。それらの用語は、１つの要素を別の要素から区別するためにのみ使用する。例えば、例示的実施形態の技術的範囲から逸脱せずに、第１の要素は第２の要素と呼ぶことができ、また同様に第２の要素は第１の要素と呼ぶことができる。本明細書で使用する場合に、「及び／又は」という用語は、関連する列記したアイテムの１つ又はそれ以上のあらゆる及び全ての組合せを含む。
【００１１】
要素が別の要素に「連結される」、「結合される」、「噛合わされる」、「取付けられる」又は「固定される」と表現した場合には、その要素は、その別の要素に直接連結又は結合することができ或いは介在要素を存在させることができることを理解されたい。対照的に、要素が別の要素に「直接連結される」又は「直接結合される」と表現した場合には、介在要素が全く存在しない。要素間の関係を説明するために使用するその他の表現（例えば、「間にある」対「直接間にある」、「隣接する」対「直接隣接する」など）も、同様に解釈すべきである。
【００１２】
本明細書で使用する場合に、数詞を付していない表現は、用語がそうでないことを明確に示していない限り、複数の形態もまた含むことを意図している。さらに、本明細書で使用する場合の「含む」、「含んでいる」、「備える」及び／又は「備えている」という用語は、記述した特徴、回数、ステップ、操作、要素及び／又は構成要素の存在を特定するが、１つ又はそれ以上のその他の特徴、回数、ステップ、操作、要素、構成要素及び／或いはそれらの群の存在又は付加を排除するものではないことを理解されたい。
【００１３】
また、幾つかの別の実施形態では、注目する機能／動作は、図面に表した又は明細書に記載した順序とは別に行なうことができることを注目されたい。例えば、連続して示した２つの図又はステップは、実際には並行にかつ同時に実行することができ或いは時には関連する機能／動作に応じて逆の順序で又は反復的に実行することができる。
【００１４】
本出願の発明者達は、従来型のヘッドベント８０（図１）装置及び方法に関する幾つかの問題を特定した。例えば、気体をヘッドベント８０から下方に蒸気レッグ３のような受入れ出口又は保持位置に導くために多量の配管を必要とする。プラント停止時にＲＰＶ１２内部にアクセスしかつ保守整備を行なうために上部ヘッド２９が取外されるので、ＲＰＶ１２へのアクセスに先立って、ヘッドベント８０に関連する全ての外部配管は分解しかつ保存しなければならない。外部配管を分解し、保存しかつ再組立てするのに必要な多くの時間及び労力は、そのような停止時にはプラントは電力又は収益を産生しないので、商業的原子力プラントオペレータにとって大きな収益の損失となる可能性がある。以下に説明する例示的実施形態及び方法は、原子力発電プラントにおいて従来型のヘッドベント８０使用のこれらの作用を固有の方法で解決して、従来型のヘッドベント８０における外部配管を取外すこと、据付けること及び保存することに関連するプラント停止時における時間及び資源の消費の低減を含む幾つかの利点、並びに／或いは以下に説明する又は説明していないその他の利点を達成する。
【００１５】
例示的実施形態
図２は、例示的実施形態の内部ヘッドベントを示す図である。図２に示すように、例示的実施形態内部ヘッドベン１００は、上部ヘッド２９を含むＲＰＶ１２内の貫通口を通る該上部ヘッド２９内の気体の出口を構成した内部配管を含む。例示的実施形態内部ヘッドベン１００の配管は、ＲＰＶ１２及び上部ヘッド２９の内部に上部配管１１０及び下部配管１２０を含むことができる。例示的実施形態内部ヘッドベン１００は、その中に上部ヘッド２９の頂部に集積した非凝縮性気体がＲＰＶ１２から取除かれるように流れることができるベント孔１１９を含む。上部配管１１０は、そのような孔１１９を含みかつ運転時に下部配管１２０に接合されて、非凝縮性気体が下部配管内に流れ、次に蒸気出口３（図１）のような既存の貫通口を通してＲＰＶから流出するのを可能にすることができる。このようにして、上部ヘッド２９の頂部に集積した非凝縮性気体は、内部配管を通ってＲＰＶ１２から流出させることができ、かつその関連する配管を備えた従来型のヘッドベント８０は、使用しなくすることができる。
【００１６】
上部配管１１０及び下部配管１２０は、例示的実施形態内部ヘッドベン１００内において多くの方法で所定の位置に保持することができる。例えば、上部配管１１０及び下部配管１２０は、図２に示すように、それぞれ上部ヘッド２９及びＲＰＶ１２の内部表面に接合することができる。上部配管１１０及び下部配管１２０は、上部ヘッド２９及びＲＰＶ１２の内部表面に近接させて配置して、例示的実施形態内部ヘッドベン１００内において最小の妨害を形成しかつほっそりした輪郭にし、それによって衝突又は流れ妨害のリスクを減少させることができる。上部配管１１０及び下部配管１２０は、溶接、機械的ファスナ、接着剤、ブラケット、上部ヘッド２９及びＲＰＶ１２内の一体形成通路などを含む幾つかの方法で上部ヘッド２９及びＲＰＶ１２に接合することができる。
【００１７】
例えば、図２に示すように、幾つかのブラケット１１５により、ＲＰＶ１２及び／又は上部ヘッド２９並びに上部配管１１０及び下部配管１２０間を接合して各配管部分を固定することができる。あらゆる数及びタイプのブラケット１１５により、配管部分を上部ヘッド２９及び／又はＲＰＶ１２に固定することができる。ブラケットは、溶接、一体形成、リベット、接着剤などを含むあらゆる許容可能な方法によって接合することができる。図２の例示的実施形態に示すように、上部配管１１０及び下部配管１２０の長さに沿って可変垂直方向間隔で、６つのブラケット１１５を使用することができる。ブラケット１１５は、例示的実施形態において様々な構成を有するものとして示しており、また例示的実施形態において一貫して又は多様な状態であらゆるブラケット設計又はタイプを使用することができることを理解されたい。例示的実施形態による図に示すように、上部配管１１０を上部ヘッド２９に接合する頂部３つのブラケット１１５は、その中に上部配管１１０が装着されまた該上部配管１１０の前面の周りを通りかつブラケット１１５に溶接されて該上部配管１１０の長さに沿った幾らかの配管移動（運動）を可能にするバンドによってそれに装着されかつ接合された馬蹄形タイプのブラケットとすることができる。上部配管１１０を上部ヘッド２９にまた下部配管１２０をＲＰＶ１２に接合する最下部のブラケット１１５は、その中に上部配管１１０及び下部配管１２０が装着されかつ直接溶接されて、それらブラケット１１５及び配管間の大半の相対運動を防止する馬蹄形タイプのブラケットとすることができる。下部配管１２０及びＲＰＶ１２を接合する上部ブラケット１１５は、下部配管１２０の相対垂直方向運動又は圧縮を可能にする貫通孔タイプブラケットとすることができる。言うまでもなく、例示的実施形態内部ヘッドベント１００では、あらゆる異なる数／タイプ／構成のブラケット１１５が許容可能である。
【００１８】
上部配管１１０及び下部配管１２０は、それを貫通する許容可能な気体流れを可能にしながら、上部ヘッド２９及びＲＰＶ１２の内部表面に対する小さな輪郭を維持しかつ蒸気レッグ３のような貫通口内に取付けて気体を排出するようにするあらゆる寸法とすることができる。例えば、上部配管１１０及び下部配管１２０は、妨害又は大きな輪郭突出部がない状態で適切な非凝縮性気体流れを可能にする２インチパイプとすることができる。ブラケット１１５は、上部配管１１０及び下部配管１２０に合せて選択した寸法に基づいた対応する寸法とすることができる。
【００１９】
図３に示すように、例示的実施形態内部ヘッドベント１００は、既存の又はＲＰＶ１２内に新たに形成した１つ又はそれ以上の貫通口を介してＲＰＶ１２に通じることができる。例えば、貫通ノズル１２５は、蒸気ライン３に連結しかつ屈曲部を介して下部配管１２０に取付けられたノズルとすることができる。それに代えて、貫通ノズル１２５は、別の位置に配置しまた原子力プラント内のサンプ又はその他の気体排出機構に連結することができる。例示的実施形態内部ヘッドベント１００は、貫通口に容易にアクセスするようにＲＰＶ１２内に配置することができる。同様に、例示的実施形態内部ヘッドベント１００は、下部配管１２０及び貫通ノズル１２５並びにそれらに関連するブラケット１１５が間を通り、かつ従来ではＲＰＶ１２の上部部分内に配置することができる蒸気ドライヤ構造１５（図１）を含むその他の原子炉内部装置とそうではなく干渉しないように配置することができる。
【００２０】
図２及び図３並びに図４Ａ及び図４Ｂに示すように、上部配管１１０は、上部ヘッド２９がＲＰＶ１２に接合される箇所にほぼ位置した連結ポイント１３０において下部配管１２０に接合することができる。このようにして、例示的実施形態内部ヘッドベント１００は本質的に、プラント保守整備時に付加的配管作業及び／又は保存なしにＲＰＶ１２から上部ヘッド２９を取外すことにより分解することができる。さらに、上部ヘッド２９及び／又はＲＰＶ１２の内部表面に対してほっそりした輪郭を設けることまた上部ヘッド２９及びＲＰＶ１２が分離される連結ポイント１３０においてほぼ均等に分離することによって例示的実施形態内部ヘッドベント１００によって生じる衝突及び干渉のリスクを最小にすることができる。
【００２１】
例示的実施形態内部ヘッドベント１００における上部配管１１０及び下部配管１２０は、機械的ファスナ、ロック及びキー装置、接着剤、磁石、摩擦当接などを含む多くの公知の連結機構によって連結ポイント１３０において取外し可能に接合することができる。例えば、図４Ａ及び図４Ｂに示すように上部配管１１０は、相互に噛合いかつシールするファネル１１１及び圧縮可能ベローズ１２１により連結ポイント１３０において下部配管１２０に接合することができる。
【００２２】
図４に示すように、圧縮可能ベローズ１２１は、下部配管１２０の終端部に近接した該下部配管１２０の一部とすることができる。下部配管１２０は、図４Ａに示すように上部ヘッド２９がＲＰＶ１２から分離された時にＲＰＶ１２の上部フランジの上方に距離ｄだけ延びる。距離ｄは、比較的小さくて、距離ｄだけ延びる下部配管１２０によって生じる捕捉又は干渉のあらゆるリスクを低減させることができる。圧縮可能ベローズ１２１を備えた下部配管１２０は距離ｄだけ上向きに延びるので、上部配管１１０及びファネル１１１は、上部ヘッド２９の下部フランジと同一面になるか又は下部フランジから凹設させることができる。このようにして、上部ヘッド２９は、運転停止時に該上部ヘッド２９を移動させかつ保存するのを複雑にすることになる突出部片を気にしないで取外しかつ再設置することができる。同様に、ＲＰＶ１２は固定しているので、ＲＰＶ１２の上部フランジから距離ｄだけ上向きになった下部配管１２０の突出は最小の取扱い及び移動問題を有するものとすることができる。
【００２３】
圧縮可能ベローズ１２１は、下部配管１２０の端部において該ベローズ１２１に所望の可撓性及び圧縮性を与える１つ又はそれ以上の環状波形部を備えることができる。ベローズ１２１は、突出距離ｄの大部分を圧縮可能とすることができて連結ポイント１３０が接合された時の上部ヘッド２９及びＲＰＶ１２の接触位置とほぼ等しくなるようにすることができる。圧縮可能ベローズ１２１における適当な数の環状波形部及び選択材料（以下で説明する）は、ベローズ１２１及びファネル１１１の反復性がありかつ破壊しない圧縮及び分離を可能にすることができる。
【００２４】
ベローズ１２１における下部配管１２０の終端部の外径は、上部配管１１０の対応するファネル１１１の最大直径よりも小さくすることができて、ベローズ１２１が接触時にファネル１１１内に装着するようにすることができる。図４Ｂに示すように、上部ヘッド２９及びＲＰＶ１２が接合された時に、ファネル１１１は、ベローズ１２１を覆って装着され、それにより、上部配管１１０及び下部配管１２０を互いに圧縮させかつシール／接合することができる。ベローズ１２１の外径は、連結ポイント１３０における均等かつ緊密な嵌合を可能にするために円形又はその他の適切な形状とすることができる。上部ヘッド２９及びＲＰＶ１２が接合された時にベローズ１２１が圧縮されることになる距離並びにバネ定数を知りかつ／又は設定することにより、ファネル１１１及びベローズ１２１間に所望のレベルの圧縮圧力を達成することができる。例えば、ベローズ１２１が６５ｍｍ圧縮されかつベローズ１２１が３５Ｎ／ｍｍのバネ定数を有する場合には、図４Ｂにおいて完全に装着された連結ポイント１３０は、ベローズ１２１及びファネル１１１間に２．２７５ｋＮの圧縮力を有することになり、この圧縮力により、上部配管１１０及び下部配管１２０を適切にシールすることができる。
【００２５】
ベローズ１２１は、それぞれ下部配管１２０及び上部配管１１０内のベローズ１２１及びファネル１１１間で噛合う取外し可能な当接タイプとして図示しているが、ベローズ１２１及ファネル１１１は、それらの位置を逆にすることができることを理解されたい。同様に、ファネル１１１及びベローズ１２１に加えて付加的なシール剤、潤滑剤及び接合機構を使用することができることを理解されたい。さらに、例示的実施形態内部ヘッドベントでは、連結ポイント１３０における完全に異なる連結機構及び構造を使用することができることを理解されたい。
【００２６】
例示的実施形態内部ヘッドベントは、原子炉内の運転条件に耐えかつ材料適合性がありかつ接触部片に対する汚損を回避するように設計された材料で製作することができる。例えば、上部配管１１０及び下部配管１２０は炭素鋼で製作し、ベローズ１２１はステンレス鋼で製作し、またファネル１１１及び貫通ノズル１２５は適合性Ｎｉ−Ｃｒ−Ｆｅ合金で製作して、それら構成要素に対する汚損を回避しかつそれら構成要素に付加的な材料強度を与えると同時に様々な構成要素間における非破壊熱膨張も可能にすることができる。また、例えば上部配管１１０、ブラケット１１５、下部配管１２０、ベローズ１２１、ファネル１１１及び／又は貫通ノズル１２５は、高いレベル及びタイプの放射能を有する高圧／高温水環境内でそれらの物理特性を実質的に維持するジルカロイ、オーステナイトステンレス鋼、ニッケル合金などで製作することができる。
【００２７】
従って、例示的実施形態内部ヘッドベントは、作動中の原子炉のような幾つかの厳しい環境において使用可能である。例示的実施形態に関して上述した幾つかの特徴形状部は、例示的実施形態内部ヘッドベントの特定の用途及び／又は所望の運転特性に基づいて再構成又は省略することができる。例示的実施形態内部ヘッドベント１００は、以下に説明する例示的方法により据付けかつ使用することができるが、例示的実施形態内部ヘッドベント１００では、その他の使用及び据付け位置も適用可能であることを理解されたい。
【００２８】
例示的方法
例示的方法は、原子炉内に例示的実施形態内部ヘッドベント１００のような内部ヘッドベントを据付けるステップを含む。例示的方法は、原子力発電プラント内における内部ヘッドベントの据付け位置を決定するステップを含む。ベント開口部１１９が上部ヘッド２９内のほぼ最高垂直方向ポイントに位置するのを可能にして、非凝縮性気体が運転中の原子炉の開口部１１９内に流れることになるようにするあらゆる位置を選択することができる。例えば、ベント開口部１１９は、浮揚性気体を液体充満容器内に集積させることができる或いは該ベント開口部を上部ヘッド２９の頂部内部表面に近接させてその他の場所に位置させて容器内で許容可能な気体の全体ボリュームを該ベント開口部１１９及び上部ヘッド２９管の空間のボリュームとして設定することができる該上部ヘッド２９の最頂部内部表面から１０センチメートルの範囲内とすることができる。この位置はまた、ドライ装置１５のようなその他の作動中の原子炉内部装置と干渉しないものとすることができる。例えば、図２に示すように、蒸気出口３の周りでのＲＰＶ１２及び上部ヘッド２９の円周方向表面付近における位置は、その排出貫通口への近接度による関心位置とすることができる。干渉を回避すること及び内部出口への凝縮がない状態でのアクセスをもたらすことにおける同様の関心に基づいて、原子力プラント及び／又は原子炉内におけるその他の位置を選択することができる。
【００２９】
内部ヘッドベントは、非凝縮性気体を受けかつ排出し或いは容器充満時における選択位置からの気体出口をもたらすような所望の位置に設置することができる。この据付けは、その位置へのアクセスが可能であるプラント製作時に、運転停止時に、又はあらゆるその他の期間に行なうことができる。内部ヘッドベントは、原子炉内に構成要素を固定配置する幾つかの公知の方法により据付けることができる。例えば、内部ヘッドベント１００は、図２、図３、図４Ａ及び図４Ｂに示すようにＲＰＶ１２及び上部ヘッド２９の内部表面に沿ったブラケット１１５に溶接しかつ締結することができる。貫通ノズル１２５は、例えば蒸気出口３を含む所望の出口に連結するか又は所望の出口位置に設けることができる。ファスナ、ネジ、タング／リセプタ噛合わせ、或いは結束、摩擦又は接着剤を伴う機構の使用を含む、所望の位置において内部ヘッドベントを据付けかつ固定する幾つかの別の方法もまた、実施可能である。
【００３０】
所望の位置に据付けると、上部ヘッド２９は、ＲＰＶ１２に接合されかつＲＰＶ１２をシールして、図１（外部）及び図４Ｂ（内部）に示す構成を得ることができる。上部配管１１０は、上部ヘッド２９の据付け時に、例示的実施形態に関連して上述した構造化により下部配管１２０との間をシールしかつ下部配管１２０と接合することができる。内部ヘッドベントを通してかつＲＰＶ１２から外方に気体を流出させるような原子炉内における発電運転又はその他の事象を開始させることができる。
【００３１】
従って、例示的実施形態及び方法を説明しているが、これら例示的実施形態が通例の経験則によりまた更なる発明活動なしに変更することができることは、当業者には分かるであろう。変更形態は、本例示的実施形態の技術思想及び技術的範囲から逸脱するものと見なすべきではなく、また当業者には自明のものである全てのそのような修正形態は、特許請求の範囲の技術思想の範囲内に属することになることを意図している。
【符号の説明】
【００３２】
３  蒸気管路、蒸気出口
１２  原子炉圧力容器（ＲＰＶ）
１５  蒸気ドライヤ構造
２０  制御ブレード
２８  底部ヘッド
２９  上部ヘッド
３４  コアシュラウド
３６  原子炉コア
３８  シュラウド支持体
３９  シュラウドヘッド
４８  コアプレート
５０  計測チューブ
８０  従来型のヘッドベント
１００  内部ヘッドベント
１１０  上部配管
１１１  ファネル
１１５  ブラケット
１１９  ベント孔
１２０  下部配管
１２１  圧縮可能ベローズ
１２５  貫通ノズル
１３０  連結ポイント
【図１】
0005675582.tif 000002
【図２】
0005675582.tif 000003
【図３】
0005675582.tif 000004
【図４】
0005675582.tif 000005